(57)【要約】【課題】設備機器を設置する高さ位置について自由度を高めることができ、しかも、設備機器を好適に支持することができる建物の機器支持構造を提供する。【解決手段】建物１０の屋根裏空間１９には、空調機器３１を支持する機器架台４１が設置されている。機器架台４１は、空調機器３１が設置されている架台板４２と、その架台板４２を支持する脚部４３とを有している。脚部４３は、架台板４２よりも上方及び下方の両方に向けて延びており、天井小梁２５と垂木５１とに掛け渡された状態になっている。脚部４３は、伸縮可能になっており、天井小梁２５と垂木５１との間において、それら天井小梁２５と垂木５１とに対して突っ張った状態になっている。脚部４３は、垂木５１に固定された上側接合部７２と、天井小梁２５に固定された下側接合部７３とを有している。【選択図】      図３
2014163060.tif 000002
【特許請求の範囲】
【請求項１】
屋根の下方において、設備機器を支持する機器架台が梁材に取り付けられている建物の機器支持構造であって、
前記機器架台は、
前記設備機器が設置されている架台板と、
前記梁材に設置され、前記架台板を支持している脚部と、
を有しており、
前記脚部は、前記架台板よりも上方及び下方の両方に向けて延びており、前記屋根に沿って延びている屋根構造体と前記梁材とに掛け渡された状態になっていることを特徴とする建物の機器支持構造。
【請求項２】
前記脚部は、上下方向に伸縮可能であることを特徴とする請求項１に記載の建物の機器支持構造。
【請求項３】
前記脚部は、前記梁材の上に載せられており、
前記機器架台は、
前記脚部から下方に向けて延びており、当該脚部の位置が同脚部の設置された前記梁材の幅方向にずれることを、該梁材の側面に引っ掛かることで規制する規制部を有していることを特徴とする請求項２に記載の建物の機器支持構造。
【請求項４】
前記機器架台は、
前記脚部に対する前記架台板の高さ位置を変更することが可能な変更手段を有していることを特徴とする請求項２又は３に記載の建物の機器支持構造。
【請求項５】
前記架台板には、前記脚部が挿通されている挿通孔が設けられており、
前記変更手段は、前記脚部に対する前記架台板の高さ位置を保持するために、前記挿通孔の内周面と前記脚部の外周面との間に下方から着脱可能に嵌合された嵌合部材であることを特徴とする請求項４に記載の建物の機器支持構造。
【請求項６】
前記屋根は、傾斜した傾斜屋根部を有しており、前記屋根構造体は前記傾斜屋根部に沿って延びており、
前記脚部は、前記傾斜屋根部の下方において該傾斜屋根部の傾斜方向に沿って複数並べて配置されていることを特徴とする請求項２乃至５のいずれか１項に記載の建物の機器支持構造。
【請求項７】
前記設備機器は、前記架台板の上に設置されており、
前記架台板の下方には、前記設備機器とは異なる第２機器が設置されていることを特徴とする請求項１乃至６のいずれか１項に記載の建物の機器支持構造。
【請求項８】
前記脚部は、脚本体と、該脚本体の上端に接続された上側接合部とを有し、前記梁材と前記屋根構造体との間に配置されており、
前記上側接合部は、前記脚本体の上端面に重ねられた下板部と、前記屋根構造体の下面に重ねられた上板部と、前記下板部及び前記上板部を連結する連結部とを有していることを特徴とする請求項１乃至７のいずれか１項に記載の建物の機器支持構造。
【請求項９】
柱、該柱に接続された天井大梁、及び該天井大梁に接続された天井小梁を有する建物ユニットが複数組み合わされることで構築されたユニット式建物に適用され、
前記天井大梁の上には、前記屋根を支持する束が設置されており、
前記天井小梁は、当該天井小梁の上に前記脚部が設置された前記梁材とされていることを特徴とする請求項１乃至８のいずれか１項に記載の建物の機器支持構造。
【請求項１０】
柱及び梁材を有する複数の建物ユニットにより構築されたユニット式建物に適用され、
設備機器を支持する機器架台が前記梁材に取り付けられている建物の機器支持構造であって、
前記機器架台は、
前記設備機器が設置されている架台板と、
前記梁材の上に設置され、前記架台板を支持する脚部と、
前記脚部から下方に向けて延びており、当該脚部の位置が同脚部の設置された前記梁材の幅方向にずれることを、該梁材の側面に引っ掛かることで規制する規制部と、
を有しており、
前記脚部は、上下方向に伸縮可能であることを特徴とする建物の機器支持構造。
【発明の詳細な説明】
【技術分野】
【０００１】
本発明は、建物の機器支持構造に関するものである。
【背景技術】
【０００２】
住宅等の建物においては、空調室内機等の設備機器が設けられている。設備機器は、リビング等の居住空間、及び天井裏空間などの非居住空間のいずれにも設置することが可能であるが、居住空間を極力広く確保するという点では非居住空間に設置されていることが好ましい。例えば特許文献１では、設備機器としての空調機が天井裏空間に配置され、その空調機が複数の梁材としての天井野縁に掛け渡されるようにして設けられた構成が開示されている。この構成では、隣り合う天井野縁の間に空調機が配置され、空調機から側方に突出したフランジが天井野縁の上に載置されている。
【先行技術文献】
【特許文献】
【０００３】
【特許文献１】特開２００１−１９３２１１号公報
【発明の概要】
【発明が解決しようとする課題】
【０００４】
しかしながら、隣り合う梁材の間に設備機器が配置され、その設備機器から側方に突出したフランジが梁材の上に載置されている構成では、設備機器を梁材よりも高い位置に設置することが困難になっている。これに対して、脚部が取り付けられた架台板の上に設備機器を設置し、脚部を梁材の上に載せることで、設備機器を梁材よりも高い位置に設置することが可能になる。この構成では、脚部の長さ寸法を大きくすることで、設備機器をより高い位置に設置することが可能となる。ところが、脚部の長さ寸法を大きくなることで、脚部の支持強度や安定性が低下することが懸念される。
【０００５】
本発明は、上記事情に鑑みてなされたものであり、設備機器を設置する高さ位置について自由度を高めることができ、しかも、設備機器を好適に支持することができる建物の機器支持構造を提供することを主たる目的とするものである。
【課題を解決するための手段】
【０００６】
以下、上記課題を解決するのに有効な手段等につき、必要に応じて作用、効果等を示しつつ説明する。
【０００７】
第１の発明の建物の機器支持構造は、屋根の下方において、設備機器を支持する機器架台が梁材に取り付けられている建物の機器支持構造であって、前記機器架台は、前記設備機器が設置されている架台板と、前記梁材に設置され、前記架台板を支持している脚部と、を有しており、前記脚部は、前記架台板よりも上方及び下方の両方に向けて延びており、前記屋根に沿って延びている屋根構造体と前記梁材とに掛け渡された状態になっていることを特徴とする。
【０００８】
第１の発明によれば、屋根裏空間に設備機器が設置されている構成において、上下方向に延びた脚部が屋根構造体と梁材とに掛け渡されているため、屋根構造体と梁材との間の領域であれば、架台板の設置高さを適宜設定することが可能になる。この場合、架台板の下方に別の設備機器を設置することも可能になる。また、脚部の長さ寸法がその脚部の支持強度や安定性が低下するほど大きくされていたとしても、脚部の上下両端が屋根構造体及び梁材により保持されているため、脚部により架台板を安定して支持することができる。したがって、設備機器を設置する高さ位置について自由度を高めることができ、しかも、設備機器を好適に支持することができる。
【０００９】
第２の発明では、第１の発明において、前記脚部は、上下方向に伸縮可能である。
【００１０】
第２の発明によれば、梁材と屋根構造体との離間距離、すなわち、屋根裏空間の高さ寸法に合わせて脚部の長さ寸法を調整することができる。この場合、作業者は、脚部を梁材の上に載せた状態で脚部の長さ調整を行えばよいため、水平方向について機器架台の設置位置に関する自由度を高めることができる。換言すれば、例えば傾斜屋根部の下方に形成された屋根裏空間において、脚部の長さ寸法に合わせて機器架台の設置位置を設定せざるを得ないという不都合を回避できる。
【００１１】
第３の発明では、第２の発明において、前記脚部は、前記梁材の上に載せられており、前記機器架台は、前記脚部から下方に向けて延びており、当該脚部の位置が同脚部の設置された前記梁材の幅方向にずれることを、該梁材の側面に引っ掛かることで規制する規制部を有している。
【００１２】
第３の発明によれば、作業者が、脚部を梁材の上に載せた状態で脚部の長さ調整を行う場合に、仮に脚部に対して梁材の幅方向への外力を加えてしまったとしても、脚部の位置が梁材の幅方向にずれることが規制部により規制される。この場合、脚部が梁材から上方に離間さえしなければ、脚部が梁材の上から脱落するということが抑止されるため、脚部を梁材の上に載せた状態でその脚部を伸縮させる作業を容易に行うことができる。
【００１３】
第４の発明では、第２又は第３の発明において、前記機器架台は、前記脚部に対する前記架台板の高さ位置を変更することが可能な変更手段を有している。
【００１４】
第４の発明によれば、脚部の長さ寸法だけでなく、架台板の高さ位置も屋根裏空間の高さ寸法に合わせて適宜調整することができる。この場合、脚部を屋根構造体及び梁材に対して取り付けた後に、屋根裏空間や他の建物設備の設置態様などに応じて、架台板の高さ位置を適宜変更することが可能となる。
【００１５】
第５の発明では、第４の発明において、前記架台板には、前記脚部が挿通されている挿通孔が設けられており、前記変更手段は、前記脚部に対する前記架台板の高さ位置を保持するために、前記挿通孔の内周面と前記脚部の外周面との間に下方から着脱可能に嵌合された嵌合部材である。
【００１６】
第５の発明によれば、嵌合部材を着脱させるという容易な作業により、架台板の高さ位置を変更することができる。
【００１７】
また、脚部が伸縮可能な構成においては、脚部の太さが均一でないことや、伸縮に伴って脚部の太さが変化することなどにより、架台板の高さ位置を変更することに伴って脚部の外周面と挿通孔の内周面との隙間の大きさが変化すると考えられる。これに対して、本発明によれば、嵌合部材を隙間の大きさの変化に対応できる形状にすることや、隙間の大きさの変化に応じて異なる形状の嵌合部材を使い分けることなどにより、架台板の高さ位置を変更しても脚部に対して架台板を容易に固定することができる。
【００１８】
第６の発明では、第２乃至第５のいずれかの発明において、前記屋根は、傾斜した傾斜屋根部を有しており、前記屋根構造体は前記傾斜屋根部に沿って延びており、前記脚部は、前記傾斜屋根部の下方において該傾斜屋根部の傾斜方向に沿って複数並べて配置されている。
【００１９】
第６の発明によれば、傾斜屋根部の下方において、屋根裏空間の高さ寸法は棟から遠ざかるほど小さくなる。これに対して、脚部が伸縮可能にされているため、傾斜屋根部の傾斜方向に沿った並べられた各脚部については、それぞれの長さ寸法を屋根裏空間の高さ寸法に合わせて可変設定することができる。これにより、傾斜屋根部を有する建物であっても、脚部を屋根構造体と梁材とに掛け渡した状態で設置する作業を容易化できる。
【００２０】
第７の発明では、第１乃至第６のいずれかの発明において、前記設備機器は、前記架台板の上に設置されており、前記架台板の下方には、前記設備機器とは異なる第２機器が設置されている。
【００２１】
第７の発明によれば、脚部が梁材と屋根構造体とに掛け渡されている構成において、機器架台の上方スペース及び下方スペースの両方を機器設置スペースとして有効利用することができる。
【００２２】
第８の発明では、第１乃至第７のいずれかの発明において、前記脚部は、脚本体と、該脚本体の上端に接続された上側接合部とを有し、前記梁材と前記屋根構造体との間に配置されており、前記上側接合部は、前記脚本体の上端面に重ねられた下板部と、前記屋根構造体の下面に重ねられた上板部と、前記下板部及び前記上板部を連結する連結部とを有している。
【００２３】
第８の発明によれば、脚部が屋根構造体と梁材との間に設けられているため、その脚部を屋根構造体及び梁材に対して固定することが容易になる。例えば、脚部を屋根構造体及び梁材のそれぞれに対してビス等の固定具により容易に固定できる。また、脚部を屋根構造体と梁材との間で突っ張った状態となるように設置することで、脚部の上端面と屋根構造体の下面との摩擦力、及び脚部の下端面と梁材の上面との摩擦力により、屋根構造体及び梁材に対して脚部を固定することができる。
【００２４】
しかも、上側接合部においては、その上面及び下面が上板部及び下板部というそれぞれ異なる板部により形成されているため、下板部を脚本体に取り付ける作業、及び上板部を屋根構造体に取り付ける作業を、ビス等の固定具を用いて行うことが容易なものになる。つまり、脚本体に上側接合部を取り付けて脚部を作製する作業、及び脚部を屋根構造体に固定する作業を容易に行うことができる。
【００２５】
第９の発明では、第１乃至第８のいずれかの発明において、柱、該柱に接続された天井大梁、及び該天井大梁に接続された天井小梁を有する建物ユニットが複数組み合わされることで構築されたユニット式建物に適用され、前記天井大梁の上には、前記屋根を支持する束が設置されており、前記天井小梁は、当該天井小梁の上に前記脚部が設置された前記梁材とされている。
【００２６】
第９の発明によれば、束は天井大梁により支持され、機器架台は天井小梁により支持されるため、天井大梁が束及び機器架台の両方を支持している構成とは異なり、天井大梁に加えられる荷重が過剰に大きくなることを抑制できる。これにより、機器架台を建物ユニットに対して好適に設置することができる。
【００２７】
第１０の発明の建物の機器支持構造は、柱及び梁材を有する複数の建物ユニットにより構築されたユニット式建物に適用され、設備機器を支持する機器架台が前記梁材に取り付けられている建物の機器支持構造であって、前記機器架台は、前記設備機器が設置されている架台板と、前記梁材の上に設置され、前記架台板を支持する脚部と、前記脚部から下方に向けて延びており、当該脚部の位置が同脚部の設置された前記梁材の幅方向にずれることを、該梁材の側面に引っ掛かることで規制する規制部と、を有しており、前記脚部は、上下方向に伸縮可能であることを特徴とする。
【００２８】
第１０の発明によれば、脚部の長さ寸法を調整することで、架台板の高さ位置を変更することが容易になる。しかも、作業者が、脚部を梁材の上に載せた状態で脚部の長さ調整を行う場合に、仮に脚部に対して梁材の幅方向への外力を加えてしまったとしても、脚部の位置が梁材の幅方向にずれることが規制部により規制される。この場合、脚部が梁材から上方に離間さえしなければ、脚部が梁材の上から離脱するということが抑止されるため、脚部を梁材の上に載せた状態でその脚部を伸縮させる作業を容易に行うことができる。
【図面の簡単な説明】
【００２９】
【図１】建物の概要を示す正面図
【図２】建物ユニットの構成を示す斜視図
【図３】屋根裏空間の内部構造を示す図
【図４】空調機器が設置された建物ユニットの平面図
【図５】機器架台の構成を示す図
【図６】脚部の上側接合部の構成を示す図
【図７】脚部の下側接合部の構成を示す斜視図
【図８】天井小梁に対する脚部の取り付け部分を示す図
【図９】別の機器架台の構成を示す平面図
【図１０】別の機器架台の構成を示す建物ユニットの平面図
【図１１】別の機器架台の構成を示す建物ユニットの平面図
【図１２】天井小梁に対する別の脚部の取り付け部分を示す図
【発明を実施するための形態】
【００３０】
以下、本発明を具体化した一実施形態について図面を参照しつつ説明する。本実施形態では、鉄骨ラーメン構造を有する２階建てのユニット式建物において本発明の機器支持構造を具体化している。まず、ユニット式建物の構成について、図１、図２を参照しつつ説明する。図１は建物１０の概要を示す正面図、図２は建物ユニット２０の構成を示す斜視図である。なお、図１において、建物１０のうち屋根裏空間１９については概略縦断面を図示している。
【００３１】
図１に示すように、住宅等の建物１０は、基礎１１の上に設けられた建物本体１２と、建物本体１２の上に設けられた屋根１３とを備えている。建物１０は、上階部としての一階部分１４と下階部としての二階部分１５とを有しており、一階部分１４と二階部分１５とは上下に重ねられている。一階部分１４及び二階部分１５においては、屋内空間が仕切られることでリビングやキッチン、寝室等の居住空間が複数設けられている。
【００３２】
屋根１３は、寄棟式の屋根とされており、複数の傾斜屋根部１６を有している。各傾斜屋根部１６は、棟から軒先に向けて下方に傾斜しており、その傾斜角度が屋根勾配になっている。建物本体１２の上には、屋根１３を下方から支持する束１７が立設されている。束１７は、水平方向において建物本体１２の中央寄りの位置に複数配置されており、屋根１３における棟寄りの部分を支持している。また、建物本体１２の上において束１７よりも軒側には屋根ブラケット１８が設けられており、その屋根ブラケット１８は、屋根１３における軒先寄りの部分を下方から支持している。
【００３３】
建物本体１２と屋根１３との間には屋根裏空間１９が形成されている。屋根裏空間１９の高さ寸法は、棟の下方位置が最も大きく、軒に向けて徐々に小さくなっていく。なお、屋根裏空間１９は、建物最上階である二階部分１５の天井裏空間と称することもできる。
【００３４】
建物本体１２は、複数の建物ユニット２０が互いに連結されることにより構成されている。建物ユニット２０は、工場にてあらかじめ製造され、その後、トラック等により建築現場に運搬される。
【００３５】
図２に示すように、建物ユニット２０は、四隅に配置された柱２１と、柱２１の上端部（上仕口）に連結された天井大梁２２と、柱２１の下端部（下仕口）に連結された床大梁２３とを有しており、これら柱２１、天井大梁２２、床大梁２３により直方体状の骨格（フレーム）が形成されている。柱２１は四角筒状の角形鋼よりなる。また、天井大梁２２及び床大梁２３は断面コ字状の溝形鋼よりなり、溝部開放側を互いに向き合わせるようにユニット内側に向けて配置されている。
【００３６】
建物ユニット２０において長辺部（桁面）に沿って延び且つ相対する天井大梁２２の間には、所定間隔で複数の天井小梁２５が架け渡されている。同じく長辺部に沿って延び且つ相対する床大梁２３の間には、所定間隔で複数の床小梁２６が架け渡されている。天井小梁２５及び床小梁２６は、それぞれ同一の間隔で且つ短辺側（妻側）の天井大梁２２及び床大梁２３と平行に延びている。天井小梁２５及び床小梁２６はそれぞれリップ溝形鋼よりなる。天井小梁２５によって天井面材２８が支持され、床小梁２６によって床面材２９が支持されている。
【００３７】
本実施形態の建物１０においては、セントラル方式の全館空調システムが構築されている。全館空調システムは、空調を行うための空調空気を生成することが可能な空調機器３１を有している。空調機器３１は、階ごとに設けられた空調室内機であり、二階部分１５の空調を行うための空調機器３１は屋根裏空間１９に設置されている。空調機器３１は、居住空間の空気を還気として取り込み、その還気から空調空気を生成するとともに、その空調空気を各階の居住空間に供給する。
【００３８】
二階部分１５の複数の建物ユニット２０には、空調機器３１が設備機器として設置された建物ユニット２０Ａが含まれており、建物ユニット２０Ａには、空調機器３１を支持する機器架台４１が設置されている。ここで、屋根１３の棟は、二階部分１５における建物ユニット２０Ａではない他の建物ユニット２０の上方に配置されている。この場合、建物ユニット２０Ａの上方には１つの傾斜屋根部１６が配置されており、屋根裏空間１９における建物ユニット２０Ａの上方部分においては、棟側の高さ寸法が軒側の高さ寸法よりも大きくなっている。
【００３９】
機器架台４１が空調機器３１を支持している機器支持構造について、図３を参照しつつ説明する。図３は、屋根裏空間１９の内部構造を示す図である。
【００４０】
図３に示すように、傾斜屋根部１６は、棟から軒先に向けて下方に延びている垂木５１と、垂木５１の上に設けられた屋根下地部としての野地板５２と、野地板５２の上に設けられた屋根仕上材としての瓦５３と、垂木５１に対して直交している母屋材５５とを有している。垂木５１は、傾斜屋根部１６の傾斜方向に沿って延びており、その傾斜角度は屋根勾配と同じにされている。また、垂木５１は、断面コ字状の溝形鋼よりなり、溝部を側方に向けた状態で設置されている。母屋材５５は、垂木５１の長手方向に沿って所定間隔で複数並べられている。なお、垂木５１及び母屋材５５を含んで屋根構造体が形成されている。
【００４１】
束１７は、天井大梁２２の上に設置されており、垂木５１を下方から支持している。この場合、束１７は、隣り合う建物ユニット２０の境界部を跨いだ状態で、それら建物ユニット２０の各天井大梁２２の上に設置されている。束１７の上には、その束１７と垂木５１とを連結する連結ブラケット５４が設けられている。なお、野地板５２、瓦５３を、それぞれ屋根パネル、屋根葺材と称してもよい。
【００４２】
屋根裏空間１９は、二階部分１５の天井５６と屋根１３との間に設けられている。天井５６においては、天井面材２８が野縁等の天井下地材５７を介して天井大梁２２や天井小梁２５に取り付けられている。
【００４３】
機器架台４１は、天井小梁２５の上に設置されている。機器架台４１は、空調機器３１が載せられている架台板４２と、架台板４２を支持する脚部４３とを有している。架台板４２は、木材や金属材料、合成樹脂材料などにより長方形状に形成されており、機器架台４１においては、平面視での外形を架台板４２が形成している。空調機器３１は、架台板４２に対して固定金具等により固定されている。
【００４４】
脚部４３は、長尺状に形成されており、上下方向に延びている。脚部４３は、天井小梁２５と垂木５１との間に配置されており、それら天井小梁２５と垂木５１とに架け渡された状態になっている。脚部４３においては、上端が垂木５１に固定されており、下端が天井小梁２５に固定されている。この場合、脚部４３は、屋根裏空間１９において梁材と屋根構造体とに掛け渡された状態になっている。
【００４５】
架台板４２は、脚部４３における上端と下端との間の高さ位置に配置され、脚部４３の中間部分に対して固定されている。この場合、架台板４２は、屋根１３からは下方に離間しており、天井５６からは上方に離間している。
【００４６】
ちなみに、建物ユニット２０においては、天井小梁２５がブラケット等を介して天井大梁２２に対して連結されており、天井小梁２５の上端が天井大梁２２の上端よりも低い位置にある。天井小梁２５の高さ寸法は天井大梁２２の高さ寸法よりも小さく、天井小梁２５の下端が天井大梁２２の下端とほぼ同じ高さ位置に配置されている。この構成において、架台板４２は、少なくとも天井大梁２２の上端よりも高い位置に配置されている。
【００４７】
ここで、空調機器３１には、二階部分１５の居住空間に空調空気を供給する給気部６１が、空調ダクト６２を介して接続されている。給気部６１は、架台板４２の下方に設置されている。この場合、天井面材２８には、天井開口部６３が形成されており、給気部６１は天井開口部６３を通じて居住空間への給気を行う。ここで、天井５６には、給気部６１に加えて、照明器具や換気扇など他の機器も設置されており、それら機器との位置関係により給気部６１の設置位置が架台板４２の下方位置に制限されている。
【００４８】
なお、給気部６１が第２機器に相当する。また、給気部６１は、空調ダクト６２が接続されたチャンバと、天井開口部６３を下方から覆うグリルとを有している。さらに、架台板４２の下方には、空調機器３１に接続された還気部や、照明器具、換気扇など、給気部６１とは異なる機器が設置されていてもよく、この場合は、架台板４２の下方に設置された機器が第２機器に相当する。
【００４９】
上記のように、機器架台４１の脚部４３が天井小梁２５（梁材）と垂木５１（屋根構造体）とに掛け渡された状態になっている場合、架台板４２を天井小梁２５から上方に離間した位置に設置しても、脚部４３による架台板４２の支持強度が低下しないようになっている。しかも、架台板４２と天井小梁２５との間の離間部分に、給気部６１を設置することが可能になる。
【００５０】
次に、機器架台４１について、図４〜図８を参照しつつ説明する。図４は空調機器３１が設置された建物ユニット２０Ａの平面図、図５は機器架台４１の構成を示す図、図６は脚部４３の上側接合部７２の構成を示す図、図７は脚部４３の下側接合部７３の構成を示す斜視図である。なお、図４においては、（ａ）に本実施形態の架台板４２の向きを示し、（ｂ）に架台板４２の向きを変更した図を示している。また、図５においては、（ａ）に機器架台４１の平面図及び側面図を示し、（ｂ）に脚本体７１周辺の斜視図を示している。図６においては、（ａ）に上側接合部７２の側面図を示し、（ｂ）に上側接合部７２の斜視図を示している。
【００５１】
図４（ａ），（ｂ）に示すように、建物ユニット２０Ａにおいて、機器架台４１は、複数の天井小梁２５に掛け渡された状態で、それら天井小梁２５の上に設置されている。また、この場合、天井小梁２５が梁材に相当する。
【００５２】
機器架台４１は、図４（ａ）に示すように、その長手方向が建物ユニット２０Ａの長手方向と直交する向きで設置されている。この場合、架台板４２の短辺が建物ユニット２０Ａの天井小梁２５と直交しており、その短辺が複数（例えば２つ）の天井小梁２５に掛け渡された状態になっている。架台板４２においては、その短手寸法が天井小梁２５同士の離間距離よりも大きくされている。
【００５３】
機器架台４１は天井小梁２５に対する設置向きを変更可能になっている。例えば、図４（ｂ）に示すように、建物ユニット２０Ａの短手方向と平行に延びる向きの両方の向きで設置することが可能になっている。この場合、架台板４２の長辺が建物ユニット２０Ａの天井小梁２５と直交しており、その長辺が複数（例えば４つ）の天井小梁２５に掛け渡された状態になっている。
【００５４】
脚部４３は、複数（例えば４つ）設けられており、架台板４２の四隅のそれぞれに対応させて配置されている。各脚部４３は、天井小梁２５の上に設置されており、天井小梁２５とほぼ同じ幅寸法（太さ）を有している。ちなみに、架台板４２の短辺に沿って並ぶ脚部４３同士の離間距離は、天井小梁２５同士の離間距離と同じにされており（例えば５０ｃｍ）、架台板４２の長辺に沿って並ぶ脚部４３同士の離間距離は、天井小梁２５同士の離間距離の３倍の寸法とされている（例えば１５０ｃｍ）。なお、脚部４３は、架台板４２の長手方向の中間位置や、短手方向の中間位置などに配置されていてもよい。
【００５５】
図５（ａ）に示すように、機器架台４１は、架台板４２及び脚部４３に加えて、隣り合う脚部４３を連結する補強部材４４を有している。補強部材４４は、金属材料や合成樹脂材料などにより長尺状に形成されており、架台板４２の長手方向に沿って延びている。補強部材４４は、架台板４２の下面に対してボルト等の固定具により固定されている。
【００５６】
脚部４３は、上下方向に延びている長尺部材としての脚本体７１と、脚本体７１の上端に接続されている上側接合部７２と、脚本体７１の下端に接続されている下側接合部７３とを有している。脚部４３においては、その上端が上側接合部７２により形成され、下端が下側接合部７３により形成されている。
【００５７】
脚本体７１は、長手方向に伸縮することが可能であるとともに、その伸縮した状態を自己保持することが可能になっている。図５（ｂ）に示すように、脚本体７１は、第１脚材７１ａと第２脚材７１ｂとを有している。第１脚材７１ａ及び第２脚材７１ｂは、合成樹脂材料や金属材料などにより長尺状に形成されており、脚本体７１の長手方向に沿って延びている。これら脚材７１ａ，７１ｂは、それぞれの少なくとも一部が重なった状態で設けられており、互いの長手方向に沿って相対的にスライド移動することが可能になっている。脚本体７１の長さ寸法は、脚材７１ａ，７１ｂが互いの重なり部分が小さくなる方向に相対的にスライド移動することで大きくなり、脚材７１ａ，７１ｂが互いの重なり部分が大きくなる方向に相対的にスライド移動することで小さくなる。
【００５８】
脚材７１ａ，７１ｂは、それぞれ円筒形状に形成されており、第２脚材７１ｂの一端が第１脚材７１ａの内部空間に入り込んだ状態になっている。この場合、第２脚材７１ｂの外径は第１脚材７１ａの外径よりも小さくされている。脚本体７１においては、脚材７１ａ，７１ｂのうち一方を他方に対して所定方向に回転させることで互いの重なり部分が小さくなり、それとは反対方向に回転させることで互いの重なり部分が大きくなる。具体的には、第１脚材７１ａの外周面に雄ねじが形成され、第２脚材７１ｂの内周面に雌ねじが形成され、それら雄ねじと雌ねじとが噛み合った状態で第１脚材７１ａと第２脚材７１ｂとが接続されている。この場合、脚本体７１の長さ寸法は、脚材７１ａ，７１ｂが相対的に回転しない限り保持される。
【００５９】
脚本体７１においては、上側部分が第１脚材７１ａにより形成され、下側部分が第２脚材７１ｂにより形成されている。ここで、上側接合部７２は、第１脚材７１ａの上端部に取り付けられており、下側接合部７３は、第２脚材７１ｂの下端部に取り付けられている。なお、第１脚材７１ａにおいては、下端が下方（第２脚材７１ｂ側）に向けて開放されている一方で、上端は開放されていない。この場合、第１脚材７１ａは上端面を有していることになる。また、下側接合部７３においては、上端が上方（第１脚材７１ａ側）に向けて開放されている一方で、下端は開放されていない。この場合、第２脚材７１ｂは下端面を有していることになる。
【００６０】
脚本体７１においては、第１脚材７１ａの開放端が下方を向いているため、例えば第１脚材７１ａの開放端が上方を向いている場合（第２脚材７１ｂの下端が第１脚材７１ａの内部に入り込んでいる場合）とは異なり、第１脚材７１ａの開放端の端面に埃等が溜まりにくい。また、仮に屋根裏空間１９において結露水が発生したとしても、その結露水が第１脚材７１ａの開放端からその第１脚材７１ａの内部に浸入しにくくなっている。
【００６１】
機器架台４１においては、脚本体７１が架台板４２を貫通しており、その状態で架台板４２が脚本体７１に沿って移動することが規制されている。架台板４２には、脚本体７１が挿通されている挿通孔７５が形成されており、挿通孔７５の内周面と脚本体７１の外周面との隙間に「くさび」等の嵌合部材７６が嵌合されている。嵌合部材７６は、全体として直方体形状に形成されており、嵌合部材７６においては、その厚み寸法が一端から他端に向かうにつれて徐々に小さくなっている。嵌合部材７６においては、厚み寸法が大きい方の端部の厚み寸法が、挿通孔７５の内周面と脚本体７１の外周面との隙間寸法よりも大きくなっている。
【００６２】
嵌合部材７６は、挿通孔７５の内周面と脚本体７１の外周面との隙間に対して、その隙間の一部を埋める状態で嵌合されている。この場合、機器架台４１の設置位置や、作業時における作業者の姿勢などに応じて、嵌合部材７６の嵌合位置を任意で設定することができる。なお、嵌合部材７６は、脚本体７１の外周に沿って延びていてもよい。この場合は、嵌合部材７６を脚本体７１に装着しておき、脚本体７１に対する架台板４２の位置決めを行った後に、嵌合部材７６を挿通孔７５の内周面と脚本体７１の外周面との隙間に嵌合させる必要がある。
【００６３】
機器架台４１においては、脚本体７１に対する架台板４２の固定位置を変更することが、架台板４２の高さ位置を変更することになる。架台板４２は、第２脚材７１ｂが挿通孔７５に挿通されている状態の方が、第１脚材７１ａが挿通孔７５に挿通されている状態よりも高い位置に配置されていることになる。ここで、第１脚材７１ａの外径が第２脚材７１ｂの外径よりも大きいため、脚本体７１の外周面と挿通孔７５の内周面との隙間寸法は、第２脚材７１ｂが挿通孔７５に挿通されている場合の方が、第１脚材７１ａが挿通孔７５に挿通されている場合に比べて大きくなっている。
【００６４】
これに対して、嵌合部材７６においては、厚み部分が大きい方の厚み寸法が、第２脚材７１ｂの外周面と挿通孔７５の内周面との隙間寸法よりも大きくされており、嵌合部材７６を脚本体７１と挿通孔７５との隙間に嵌合させることで、脚本体７１に対する架台板４２の高さ位置に関係なく架台板４２を脚本体７１に対して固定することができる。なお、嵌合部材７６が、脚部４３に対する架台板４２の高さ位置を変更することが可能な変更手段に相当する。
【００６５】
図６（ａ）に示すように、上側接合部７２は、その上面を形成する上板部８１と、下面を形成する下板部８２と、それら上板部８１及び下板部８２を連結する連結部８３とを有している。上板部８１、下板部８２及び連結部８３は、合成樹脂材料や金属材料などにより一体的に形成されている。上側接合部７２においては、下板部８２の下面が脚本体７１の上端面（第１脚材７１ａの上端面）に重ねられており、上板部８１の上面が垂木５１の下面に重ねられる。
【００６６】
図６（ｂ）に示すように、上側接合部７２において、下板部８２は、水平方向に延びており、上板部８１は、下板部８２に対して傾斜している。上板部８１は、屋根勾配と同じ傾斜角度を有しており、垂木５１と平行に延びている。連結部８３は、上板部８１の傾斜方向に沿って延びている第１部分８３ａと、その第１部分８３ａとは直交する方向に延びている第２部分８３ｂとを有しており、それら第１部分８３ａ及び第２部分８３ｂは、それぞれ上板部８１から上方に向けて起立している。第２部分８３ｂは、上板部８１及び下板部８２の各端部同士を連結しており、下板部８２における低い方の端部に接続されている。第１部分８３ａは、上板部８１及び下板部８２の中間部分同士を連結しており、第１部分８３ａの側端部は第２部分８３ｂの板面に接続されている。
【００６７】
上板部８１及び下板部８２には、ビスやボルト等の固定具が挿通される固定孔８４が形成されており、それぞれの固定孔８４を用いて、上板部８１は垂木５１に固定され、下板部８２は脚本体７１に固定されている。下板部８２は、その固定孔８４に挿通された固定具が脚本体７１の上端部（第１脚材７１ａの上端部）に対して羅着されることで、その脚本体７１に固定されている。
【００６８】
垂木５１においては、その下面が下側フランジ５１ａにより形成されており、その下側フランジ５１ａにはボルト孔５１ｂが形成されている。上板部８１の固定孔８４と下側フランジ５１ａのボルト孔５１ｂとは連通されており、それら固定孔８４及びボルト孔５１ｂに挿通されたボルトにより、上板部８１が下側フランジ５１ａに固定されている。つまり、脚部４３が垂木５１に固定されている。
【００６９】
図７に示すように、下側接合部７３は、脚本体７１の下端面（第２脚材７１ｂの下端面）に沿って延びている接合プレート８５と、接合プレート８５から下方に延びている規制部８６とを有している。下側接合部７３においては、脚部４３が天井小梁２５の上に載せられた状態で、接合プレート８５が天井小梁２５の上面に重ねられており、規制部８６が天井小梁２５の側方に配置されている。この場合、規制部８６は、天井小梁２５の側面に当接することで、脚部４３が天井小梁２５の幅方向にずれることを規制する。
【００７０】
接合プレート８５は、金属材料により板状に形成されており、脚本体７１の下端に対してビスや接着材などにより固定されている。接合プレート８５は、その板面の中央部分が脚本体７１の中心軸に重なる位置に配置されており、接合プレート８５の周縁部は脚本体７１よりも側方にはみ出した状態になっている。なお、接合プレート８５と第２脚材７１ｂとは一体成型などにより一体的に形成されていてもよい。
【００７１】
規制部８６は、接合プレート８５を介して脚部４３に取り付けられている。規制部８６は、接合プレート８５の下側に複数（例えば４つ）配置されており、それぞれ接合プレート８５の下面から下方に向けて延びている。規制部８６は、脚本体７１の中心軸を中心として四方のそれぞれに１つずつ配置されており、それら規制部８６は互いに離間している。この場合、各規制部８６は、脚本体７１よりも側方にはみ出した状態になっている。隣り合う規制部８６の離間距離は、天井小梁２５の幅寸法と同じ又はそれよりも大きくされており、隣り合う規制部８６の間に天井小梁２５が下方から入り込むことが可能になっている。この場合、隣り合う規制部８６の間の領域は、天井小梁２５を収納するための収納スペースとなっている。
【００７２】
なお、１つの脚部４３に対して設けられた複数の規制部８６が一組の規制部に含まれることになる。一組の規制部においては、複数の規制部８６が、少なくとも天井小梁２５を介在させること（入り込ませること）が可能な間隔を隔てて設けられている。この場合、各規制部８６は、第１方向とそれに直交する第２方向の両方において天井小梁２５を介在させることが可能となるように、それら第１方向及び第２方向の両方において前記間隔を隔てて設けられている。
【００７３】
４つの規制部８６は、機器架台４１の長手方向及び短手方向のそれぞれに沿って２つずつ整列されており、架台板４２の短辺が複数の天井小梁２５に掛け渡されている場合、及び架台板４２の長辺が複数の天井小梁２５に掛け渡されている場合の両方において、隣り合う規制部８６の間に天井小梁２５が入り込むことが可能になっている。
【００７４】
規制部８６は、鋼材としてのアングル材により形成されている。規制部８６においては、短尺状のアングル材の端面が接合プレート８５の下面に溶接等により接合されており、それによって、接合プレート８５の下面から下方に向けて延びている。規制部８６は、互いに直交する一対の板部８８を有しており、それら板部８８の交差部分が規制部８６の出隅部分になっている。出隅部分においては、一対の板部８８の各板面（隣り合う板面）が直交していることにもなる。各規制部８６は、それぞれの板部８８の自由端を脚部４３の中心軸とは反対側に向けた状態で配置されている。
【００７５】
４つの規制部８６のうち、脚本体７１の中心軸を挟んで配置された一対の規制部８６においては、それぞれの出隅部分が対向している。隣り合う規制部８６においては、板部８８の板面同士が収納スペースを挟んで対向しており、その収納スペースに天井小梁２５が収納された場合には、板部８８の板面が天井小梁２５の側面に重なった状態になる。
【００７６】
図４の説明に戻り、機器架台４１において、複数の脚部４３のうち１つを脚部４３Ａとし、その脚部４３Ａの向きと天井小梁２５との関係について説明する。また、ここでは、複数の脚部４３のうち、架台板４２の長辺に沿って脚部４３Ａに並んでいるものを脚部４３Ｂとし、架台板４２の短辺に沿って脚部４３Ａに並んでいるものを脚部４３Ｃとする。
【００７７】
機器架台４１の長手方向が天井小梁２５に沿って延びている図４（ａ）においては、脚部４３Ａが図における架台板４２の左上の角部寄りに配置されており、脚部４３Ｂが脚部４３Ａと同じ天井小梁２５の上に設置され、脚部４３Ｃが脚部４３Ａとは異なる天井小梁２５の上に設置されている。一方、機器架台４１の短手方向が天井小梁２５に沿って延びている図４（ｂ）においては、脚部４３Ａが図における架台板４２の右上の角部寄りに配置されており、脚部４３Ｂが脚部４３Ａとは異なる天井小梁２５の上に設置され、脚部４３Ｃが脚部４３Ａと同じ天井小梁２５の上に設置されている。
【００７８】
ここで、脚部４３Ａの向きと天井小梁２５との関係について図８を参照しつつ説明する。図８は天井小梁２５に対する脚部４３Ａの取り付け部分を示す図である。なお、図８においては、（ａ１），（ａ２）に機器架台４１の長手方向が天井小梁２５に沿っている場合の図を示し、（ｂ１），（ｂ２）に機器架台４１の短手方向が天井小梁２５に沿っている場合の図を示す。また、（ａ１），（ｂ１）は、接合プレート８５を上から見た平面図であり、脚部４３Ａの図示を省略している。（ａ２），（ｂ２）は、脚部４３Ａを脚部４３Ｂ側から見た側面図である。
【００７９】
図８においては、脚部４３Ａが有する複数の規制部８６のうち、１つを第１規制部８６ａとし、その第１規制部８６ａに対して対角線上に配置されたものを第２規制部８６ｂとする。そして、第１規制部８６ａに隣り合うものを第３規制部８６ｃ，８６ｄとする。第３規制部８６ｃ，８６ｄは、第２規制部８６ｂにも隣り合っている。また、第３規制部８６ｃは、架台板４２の長辺に沿って（図６（ａ１），（ｂ１）における上下に）第１規制部８６ａに並んでおり、第３規制部８６ｄは、架台板４２の短辺に沿って（図６（ａ１），（ｂ１）における左右に）第１規制部８６ａに並んでいる。
【００８０】
図８（ａ１）においては、第１規制部８６ａが架台板４２の角部側に配置されており、第２規制部８６ｂは天井小梁２５を挟んで第１規制部８６ａとは反対側に配置されている。第３規制部８６ｃは、天井小梁２５を挟んで第２規制部８６ｂとは反対側に配置されている一方で、その天井小梁２５に対して第１規制部８６ａとは同じ側に配置されている。これに対して、第３規制部８６ｄは、天井小梁２５を挟んで第１規制部８６ａとは反対側に配置されている一方で、その天井小梁２５に対して第２規制部８６ｂと同じ側に配置されている。
【００８１】
この場合、図８（ａ２）に示すように、天井小梁２５は、第２規制部８６ｂと第３規制部８６ｃとの間（第１規制部８６ａと第３規制部８６ｄとの間）に入り込んでおり、天井小梁２５の上面が接合プレート８５の下面に重なった状態で、接合プレート８５はビス８９により天井小梁２５に固定されている。ビス８９は、接合プレート８５を貫通した状態で天井小梁２５の上面部に対して羅着されている。なお、天井小梁２５は、その溝部を側方に向けた状態で配置されている。このため、天井小梁２５においては、上面部が上側フランジであり、その上側フランジに接合プレート８５が固定されている。
【００８２】
ここで、脚部４３Ａは、天井小梁２５の幅方向のうち一方に向けてずれることが第１規制部８６ａ及び第３規制部８６ｃにより規制され、他方に向けてずれることが第２規制部８６ｂ及び第３規制部８６ｄにより規制される。一方で、規制部８６ａ〜８６ｄは、脚部４３Ａの位置が天井小梁２５の長手方向にずれることを規制するものではないため、ビス８９で固定する前であれば、脚部４３Ａ（機器架台４１）を天井小梁２５の長手方向に沿って移動させることが可能である。これは、脚部４３Ｂ，４３Ｃなど機器架台４１における他の脚部４３についても同様である。したがって、脚部４３が天井小梁２５から脱落することを防止した状態で、天井小梁２５の長手方向について機器架台４１の位置合わせを行うことができる。
【００８３】
図８（ｂ１），（ｂ２）においては、機器架台４１の設置向きが図８（ａ１）とは９０度異なっている。この場合、脚部４３Ａに対する天井小梁２５の向きが、図８（ａ１），（ａ２）とは９０度異なっており、天井小梁２５が、第１規制部８６ａと第３規制部８６ｃとの間に入り込んでいる。したがって、脚部４３Ａは、天井小梁２５の幅方向のうち一方に向けてずれることが第１規制部８６ａ及び第３規制部８６ｄにより規制され、他方に向けてずれることが第２規制部８６ｂ及び第３規制部８６ｃにより規制される。
【００８４】
ここで、規制部８６と天井小梁２５との位置関係については、他の脚部４３も脚部４３Ａと同様になっている。例えば、脚部４３Ｂ，４３Ｃについても、各規制部８６を規制部８６ａ〜８６ｄとした場合、それら規制部８６ａ〜８６ｄの配置は脚部４３Ａと同じにされている。この場合、脚部４３Ｂの規制部８６ａ〜８６ｄは、脚部４３Ａの規制部８６ａ〜８６ｄに対して架台板４２の長辺に沿って並ぶ位置に配置されており、脚部４３Ｃの規制部８６ａ〜８６ｄは、脚部４３Ａの規制部８６ａ〜８６ｄに対して架台板４２の短辺に沿って並ぶ位置に配置されている。
【００８５】
機器架台４１の長手方向が天井小梁２５に沿って延びている場合（図４（ａ）の場合）には、脚部４３Ａ，４３Ｂの各第１規制部８６ａが１つの天井小梁２５に沿って並んでいる。この場合、所定間隔（脚部４３Ａ，４３Ｂの離間距離）で配置された２つの第１規制部８６ａが１つの天井小梁２５に引っ掛かる状態になるため、１つの天井小梁２５に対して１つの第１規制部８６ａだけ引っ掛かる構成とは異なり、１つの第１規制部８６ａを支点として機器架台４１が回転するようにして天井小梁２５の幅方向にずれるということが阻止される。
【００８６】
また、脚部４３Ａ，４３Ｂにおいては、それぞれの第２規制部８６ｂが、各第１規制部８６ａとは反対側にて１つの天井小梁２５に沿って並んでいる。この場合でも、所定間隔で配置された２つの第２規制部８６ｂが１つの天井小梁２５に引っ掛かる状態になるため、１つの天井小梁２５に対して１つの第２規制部８６ｂだけが引っ掛かる構成とは異なり、１つの第２規制部８６ｂを支点として第１規制部８６ａとは反対側に向けて機器架台４１が回転するようにして天井小梁２５の幅方向にずれるということが阻止される。
【００８７】
同様に、機器架台４１の短手方向が天井小梁２５に沿って延びている場合（図４（ｂ）の場合）には、脚部４３Ａ，４３Ｃの各第１規制部８６ａが１つの天井小梁２５に沿って並んでいるとともに、それら第１規制部８６ａとは反対側には、各第２規制部８６ｂがその天井小梁２５に沿って並んでいる。このため、機器架台４１の長手方向が天井小梁２５に沿って延びている場合と同様に、１つの第１規制部８６ａや１つの第２規制部８６ｂを支点として、機器架台４１が回転するようにして天井小梁２５の幅方向にずれるということが阻止される。
【００８８】
次に、屋根裏空間１９に機器架台４１を設置する際の作業手順について、図３を参照しつつ説明する。
【００８９】
まず、作業者は、機器架台４１の設置予定位置について天井小梁２５と垂木５１との離間距離を把握しておき、機器架台４１の各脚部４３の長さ寸法を、天井小梁２５と垂木５１との離間距離よりも小さくしておく。この場合、機器架台４１においては、架台板４２の各挿通孔７５に脚部４３の第１脚材７１ａを挿通させておき、各挿通孔７５に嵌合部材７６をそれぞれ差し込むことで架台板４２の高さ位置を仮に保持しておく。
【００９０】
その後、機器架台４１の各脚部４３を天井小梁２５の上に載せ、第１脚材７１ａを回転させることで脚部４３を伸ばしていく。ここで、脚部４３においては、規制部８６が天井小梁２５に引っ掛かることで、天井小梁２５に対する脚本体７１の回転が規制されるため、作業者は、第１脚材７１ａ及び第２脚材７１ｂのうち、第２脚材７１ｂを片手で抑えておかなくても、第１脚材７１ａだけを容易に回転させることができる。
【００９１】
そして、脚部４３の上側接合部７２が垂木５１の下面に達するまで、第１脚材７１ａを回転させて脚部４３を伸ばしていき、脚部４３が天井小梁２５と垂木５１との間に突っ張った状態になるようにする。この状態では、脚部４３の上端面（上側接合部７２の上面）が垂木５１に下から押圧されているとともに、脚部４３の下端面（接合プレート８５の下面）が天井小梁２５に上から押圧されている。このため、脚部４３の上端面と垂木５１の下面との間の摩擦力、及び脚部４３の下端面と天井小梁２５の上面との間の摩擦力により、脚部４３が天井小梁２５及び垂木５１に対して移動することが規制される。
【００９２】
機器架台４１の各脚部４３を、天井小梁２５と垂木５１との間に突っ張った状態にすることで、機器架台４１を天井小梁２５及び垂木５１に対して仮固定することができる。その後、ビスやボルト等の固定具を用いて、下側接合部７３を天井小梁２５に固定する作業、及び上側接合部７２を垂木５１に固定する作業を行う。この際、脚部４３が仮固定された状態になっているため、作業者は、片手で機器架台４１を持って位置保持しながらもう一方の手で固定具による固定作業を行うという必要がなく、固定具による固定作業を両手で容易に行うことができる。
【００９３】
次に、架台板４２の各挿通孔７５に差し込んでおいた各嵌合部材７６を引き抜き、架台板４２の高さ位置を変更した後、各嵌合部材７６を下方から挿通孔７５の内周面と脚本体７１の外周面との隙間に差し込んで嵌合させることで、脚部４３に対して架台板４２を固定する。
【００９４】
その後、架台板４２の下方に給気部６１を設置する作業、架台板４２の上に空調機器３１を設置する作業、空調機器３１と給気部６１とを空調ダクト６２により接続する作業などを行う。
【００９５】
以上詳述した本実施形態によれば、以下の優れた効果が得られる。
【００９６】
空調機器３１を支持する機器架台４１において、脚部４３が天井小梁２５と垂木５１とに掛け渡されているため、架台板４２を屋根１３寄りの位置及び天井５６寄りの位置の両方に設定することが可能となる。ここで、脚部４３の上端が垂木５１に固定されているため、例えば脚部４３の上端が自由端とされている場合（垂木５１に固定されていない場合）に比べて、脚部４３による架台板４２の支持強度を高めることができる。したがって、空調機器３１を設置する高さ位置について自由度を高めることができ、しかも、空調機器３１を好適に支持することができる。
【００９７】
脚部４３が伸縮可能であるため、その脚部４３の長さ寸法を天井小梁２５と垂木５１との離間距離に合わせて調整することができる。したがって、天井小梁２５と垂木５１との離間距離が均一ではない屋根傾斜方向において、脚部４３の設置位置が天井小梁２５と垂木５１との離間距離により制限されるということを回避できる。これは、機器架台４１の設置位置を屋根傾斜方向に変更することを容易化できることにもなる。
【００９８】
脚部４３の位置が天井小梁２５の幅方向にずれることが規制部８６により規制されるため、脚部４３を天井小梁２５の上に載せた状態で伸縮させた際にその脚部４３が天井小梁２５の上から落ちるということを抑制できる。したがって、脚部４３の長さ寸法を天井小梁２５と垂木５１との離間距離に合わせて調整する作業を容易化できる。
【００９９】
架台板４２の位置を脚部４３の長手方向に沿って変更可能であるため、屋根裏空間１９や給気部６１の設置態様などに応じて、空調機器３１の高さ位置を好適に設定することができる。また、脚部４３が架台板４２の挿通孔７５に挿通されているため、脚部４３の外周面と挿通孔７５の内周面との隙間に嵌合している嵌合部材７６を着脱するという容易な作業により、架台板４２の高さ位置を変更することができる。特に、脚部４３においては、第１脚材７１ａと第２脚材７１ｂとで外径寸法が異なっているため、嵌合部材７６を使用することで、架台板４２を位置保持するための構成が複雑になることを抑制できる。
【０１００】
架台板４２の上に空調機器３１が設置され、架台板４２の下方に給気部６１が設置されていることで、架台板４２の上方スペース及び下方スペースの両方を機器設置スペースとして有効利用することができる。
【０１０１】
脚部４３を天井小梁２５と垂木５１との間においてそれら天井小梁２５と垂木５１とに突っ張った状態で設けることで、脚部４３を天井小梁２５や垂木５１にボルト等の固定具を用いて固定する作業を容易化できる。しかも、脚部４３の上側接合部７２が上板部８１及び下板部８２を有しているため、上板部８１を垂木５１に固定すること、及び下板部８２を脚本体７１に固定することが容易になっている。
【０１０２】
架台板４２が脚部４３により支持されているため、例えば架台板４２が束１７により支持されている構成とは異なり、束１７に加えられる荷重が過剰に大きくなることを抑制できる。
【０１０３】
機器架台４１の規制部８６が天井小梁２５の側面に引っ掛かった状態になるため、機器架台４１が天井小梁２５の幅方向にずれてその天井小梁２５の上から外れるということを阻止できる。この場合、作業者が機器架台４１を天井小梁２５の上に載せた状態でその天井小梁２５の長手方向に沿って移動させる際に、機器架台４１の位置が天井小梁２５の幅方向にずれないように機器架台４１を手で支えるなどという作業を行う必要がないため、機器架台４１の位置合わせ作業を容易化できる。したがって、複数の天井小梁２５の上に空調機器３１を設置する際の作業負担を低減することができる。
【０１０４】
機器架台４１が複数の天井小梁２５の上に設置された状態では、天井小梁２５の幅方向のうち一方に向けて機器架台４１の位置がずれることを第１規制部８６ａにより規制でき、他方に向けて機器架台４１の位置がずれることを第２規制部８６ｂにより規制できる。この場合、作業者は機器架台４１の位置合わせを天井小梁２５の長手方向についてだけ行えばよいため、位置合わせ作業をさらに容易化できる。
【０１０５】
機器架台４１の架台板４２が長方形であるため、機器架台４１の設置向きを適宜設定することで、空調機器３１をその大きさや形状、用途などに応じて適正に設置することが可能となる。しかも、機器架台４１の設置向きに関係なく、機器架台４１の位置が天井小梁２５の幅方向にずれることが第１規制部８６ａ及び第２規制部８６ｂにより規制されるため、機器架台４１の設置向きに関係なく機器架台４１の位置合わせ作業を容易化できる。
【０１０６】
１つの天井小梁２５に対して第１規制部８６ａ及び第２規制部８６ｂの両方が引っ掛かることで、機器架台４１の位置が天井小梁２５の幅方向にずれることが規制される。この場合、１つの脚部４３が有する第１規制部８６ａと第２規制部８６ｂとの間に１つの天井小梁２５が入り込んでいるのはもちろんのこと、１つの脚部４３の第１規制部８６ａと別の脚部４３の第２規制部８６ｂとの間に１つの天井小梁２５が入り込んでいる。このため、例えば第１規制部８６ａが引っ掛かる天井小梁２５と、第２規制部８６ｂが引っ掛かる天井小梁２５とが異なっている構成とは異なり、第１規制部８６ａと第２規制部８６ｂとの位置関係を複数の天井小梁２５の位置関係に合わせて設定するという必要がない。したがって、第１規制部８６ａと第２規制部８６ｂとの位置関係が天井小梁２５の幅寸法にさえ適合していればよく、機器架台４１の汎用性を高めることができる。
【０１０７】
機器架台４１の長手方向及び短手方向のそれぞれに沿って脚部４３が複数並べられていることで、第１規制部８６ａ及び第２規制部８６ｂが並べられている。この場合、複数の脚部４３の各第１規制部８６ａ及び各第２規制部８６ｂがそれぞれ１つの天井小梁２５に引っ掛かるため、１つの天井小梁２５に対して１つの第１規制部８６ａ及び第２規制部８６ｂが引っ掛かる構成とは異なり、１つの第１規制部８６ａや１つの第２規制部８６ｂを支点にして機器架台４１が回転するように天井小梁２５の幅方向にずれることを規制できる。
【０１０８】
１つの脚部４３において、第３規制部８６ｃは、第１規制部８６ａとの間に天井小梁２５が入り込んでいる場合には、機器架台４１の位置がずれることを第２規制部８６ｂと同じ側から規制し、第２規制部８６ｂとの間に天井小梁２５が入り込んでいる場合には、機器架台４１の位置がずれることを第１規制部８６ａと同じ側から規制している。つまり、第３規制部８６ｃは第１規制部８６ａ及び第２規制部８６ｂの両方の役割を果たすことになる。これは、第３規制部８６ｃだけでなく、第３規制部８６ｄについても同様である。したがって、１つの第１規制部８６ａや１つの第２規制部８６ｂを支点にして機器架台４１が回転するように天井小梁２５の幅方向にずれることを、１つの脚部４３において規制することができる。
【０１０９】
１つの脚部４３において、隣り合う規制部８６の間に天井小梁２５が入り込んだ状態では、それら規制部８６の板面が天井小梁２５の側面に重なった状態になっている。この場合、天井小梁２５に対する規制部８６の引っ掛かり面積が大きくなり、例えば規制部８６が点で天井小梁２５に引っ掛かっている構成に比べて、規制部８６から天井小梁２５に加えられる荷重が広範囲に分散されるため、天井小梁２５の一部が凹んだり変形したりすることを抑制できる。
【０１１０】
脚部４３が天井小梁２５の上に載置されている構成においては、機器架台４１の位置が天井小梁２５の幅方向に少しずれただけで脚部４３が天井小梁２５から落ちてしまうため、脚部４３に規制部８６が設けられていることは、天井小梁２５からの脚部４３の離脱を阻止する上で効果的である。
【０１１１】
規制部８６が接合プレート８５を介して脚本体７１に取り付けられているため、脚本体７１の横断面形状や大きさに関係なく規制部８６の位置を設定することが可能となる。このため、脚本体７１と天井小梁２５との大きさの関係などにより規制部８６の形状が複雑になるということを抑制できる。例えば、脚本体７１が天井小梁２５と同じ太さの場合、又は天井小梁２５よりも細い場合、脚本体７１から下方に延びる規制部８６を天井小梁２５の側方に配置するには、規制部８６を脚本体７１の下側から天井小梁２５の側方に回り込む形状とする必要があり、規制部８６の形状が複雑になってしまう。
【０１１２】
［他の実施形態］
本発明は上記実施形態の記載内容に限定されず、例えば次のように実施されてもよい。
【０１１３】
（１）上記実施形態では、機器架台４１において脚部４３が架台板４２を貫通した状態で設けられていたが、脚部４３は架台板４２を貫通していなくてもよい。例えば、図９に示すように、架台板４２の長手方向においてその架台板４２と脚部４３とが横並びに配置された構成とする。この構成では、脚部４３が、脚本体７１から側方に突出した架台ブラケットを有しており、架台板４２は架台ブラケットの上に載せられている。架台板４２は、ビス等が下方から架台ブラケットを貫通して架台板４２に打ち込まれることで、脚部４３に対して固定されている。
【０１１４】
脚部４３においては、脚材７１ａ，７１ｂがそれぞれ四角筒状に形成されており、脚部４３は全体として平面視矩形状になっている。この場合、脚部４３においては、脚材７１ａ，７１ｂのうち一方を他方に対して回転させることで伸縮するのではなく、脚材７１ａ，７１ｂの少なくとも一方を単にスライド移動させることで伸縮する。この構成では、脚材７１ａ，７１ｂがビス等の固定具により固定されることで、脚部４３が所定の長さ寸法で保持される。なお、脚本体７１においては、上側部分が脚材７１ａ，７１ｂの一方により形成され、下側部分が他方により形成されていればよい。つまり、上側部分が第２脚材７１ｂにより形成され、下側部分が第１脚材７１ａにより形成されていてもよい。
【０１１５】
また、脚材７１ａ，７１ｂは筒状でなくてもよい。例えば、脚材７１ａ，７１ｂがいずれも板状に形成された構成とする。この構成では、脚材７１ａ，７１ｂが互いの板面を重ねた状態で相対的にスライド移動可能とされ、それら脚材７１ａ，７１ｂが相対的にスライド移動することで脚本体７１が伸縮する。さらに、脚本体７１が有する脚材７１ａ，７１ｂは、３つ以上であってもよい。
【０１１６】
（２）上記実施形態では、ビス等の固定具を用いて脚部４３が天井小梁２５及び垂木５１に固定されていたが、固定具を用いた固定はされていなくてもよい。この場合でも、脚部４３は、天井小梁２５と垂木５１との間に突っ張った状態で設けられていることで、それら天井小梁２５及び垂木５１に対して固定された状態になっている。
【０１１７】
（３）脚部４３は、天井小梁２５と垂木５１との間に突っ張った状態で設けられていなくてもよい。例えば、脚本体７１が伸縮しない構成とする。この場合、脚部４３が天井小梁２５及び垂木５１に対してビス等の固定具を用いて固定されていることが好ましい。
【０１１８】
また、脚部４３が天井小梁２５と垂木５１との間に設けられていなくてもよい。つまり、脚部４３が天井小梁２５及び垂木５１の少なくとも一方の側方に配置されていてもよい。この場合、脚部４３が天井小梁２５や垂木５１の側面に対してビス等の固定具により固定されていることが好ましい。
【０１１９】
（４）上記実施形態では、脚部４３が天井小梁２５と垂木５１とに掛け渡されていたが、脚部４３は、梁材と屋根構造体とに掛け渡されていればよい。例えば、脚部４３が、梁材としての天井大梁２２と、屋根構造体を構成する母屋材５５とに掛け渡された構成とする。
【０１２０】
（５）脚部４３が梁材と屋根構造体とに掛け渡されている構成においては、屋根１３の下方に天井５６が形成されていなくてもよい。例えば、二階部分１５において、天井小梁２５、天井下地材５７及び天井面材２８が設けられていない構成とする。この構成では、屋根１３の下方に屋根裏空間１９が形成されておらず、二階部分１５において天井大梁２２が下方に露出することになる。この場合でも、脚部４３を天井大梁２２等の梁材と垂木５１等の屋根構造体とに掛け渡した状態で設けることは可能である。
【０１２１】
（６）脚部４３において上側接合部７２は、垂木５１の下面に重ねられる上面と、脚本体７１の上端面に重ねられる下面とを有していれば、上板部８１及び下板部８２を有していなくてもよい。例えば、上側接合部７２は全体として略方形状に形成され、その上側接合部７２の上面が垂木５１の傾斜角度に合わせて傾斜している構成とする。ただし、この構成では、上側接合部７２を脚本体７１にビス固定するには、ビスを上側接合部７２を貫通させて脚本体７１に対して羅着する必要がある。また、上側接合部７２を垂木５１にビス固定するには、既に上側接合部７２に打ち込まれているビスの位置を避けて、他のビスを垂木５１の下側フランジ５１ａを貫通させて上側接合部７２に羅着する必要がある。
【０１２２】
（７）上記実施形態では、脚部４３に対する架台板４２の高さ位置が変更された場合でも、一種類の嵌合部材７６を用いて脚部４３に対する架台板４２の固定が行われる構成としたが、架台板４２の高さ位置に応じて複数種類の嵌合部材が使い分けられる構成としてもよい。ここで、脚本体７１においては、第１脚材７１ａと第２脚材７１ｂとで外径寸法が異なるため、架台板４２の挿通孔７５にそれら脚材７１ａ，７１ｂのいずれが挿通されているかによって、挿通孔７５の内周面と脚本体７１の外周面との隙間寸法が異なる。したがって、架台板４２の挿通孔７５に脚材７１ａ，７１ｂのいずれが挿通された状態であるかに応じて、最も厚い部分の厚み寸法がことなる嵌合部材を使い分けることが好ましい。
【０１２３】
（８）脚部４３が梁材と屋根構造体とに掛け渡されている構成においては、屋根１３が陸屋根（フラットルーフ）とされていてもよい。この場合でも、屋根１３が水勾配を有していれば、その勾配方向において梁材と屋根構造体との離間距離が均一ではなく、各脚部４３ごとに梁材と屋根構造体との離間距離に合わせて脚部４３の長さ寸法を調整することが好ましい。
【０１２４】
（９）機器支持構造においては、架台板４２が束１７に取り付けられていてもよい。この場合、束１７が脚部４３としての役割を果たすことになる。
【０１２５】
（１０）脚本体７１は、伸縮した状態を自己保持できなくてもよい。この場合でも、上側接合部７２及び下側接合部７３が垂木５１及び天井小梁２５に固定されていることで、脚本体７１の長さ寸法が垂木５１及び天井小梁２５により保持されることになる。
【０１２６】
（１１）上記実施形態では、機器架台４１が１つの建物ユニット２０Ａに設置されていたが、機器架台４１は、複数の建物ユニット２０に掛け渡された状態で設置されていてもよい。この場合でも、各脚部４３について、天井小梁２５が規制部８６同士の間に入り込んでいれば、機器架台４１の位置が天井小梁２５の幅方向にずれることが規制部８６により規制されることになる。また、架台板４２及び補強部材４４が、脚部４３が天井小梁２５の上に設置された状態で天井大梁２２よりも高い位置に配置されているため、機器架台４１を、架台板４２及び補強部材４４が天井大梁２２の上側を跨いだ状態で設置することが可能である。
【０１２７】
例えば、図１０（ａ）に示すように、隣り合う建物ユニット２０Ａ，２０Ｂが、互いの境界部側にそれぞれの長辺部が配置される向きで設置されており、それら建物ユニット２０Ａ，２０Ｂの境界部を跨いだ状態で機器架台４１が設置された構成とする。
【０１２８】
この構成では、上記実施形態の図３（ａ）と同様に、機器架台４１の長手方向が天井小梁２５に沿って延びており、架台板４２の長辺に沿って並ぶ２つの脚部４３のうち一方が、建物ユニット２０Ａの天井小梁２５の上に設置され、他方が建物ユニット２０Ｂの天井小梁２５の上に設置されている。また、建物ユニット２０Ａ，２０Ｂのそれぞれにおいて、架台板４２の短辺に沿って並ぶ２つの脚部４３は、それぞれ異なる天井小梁２５の上に設置されている。
【０１２９】
また、図１１（ａ）に示すように、隣り合う建物ユニット２０Ａ，２０Ｂが、互いの境界部側にそれぞれの短辺部が配置される向きで設置されており、それら建物ユニット２０Ａ，２０Ｂの境界部を跨いだ状態で機器架台４１が設置された構成とする。
【０１３０】
この構成では、上記実施形態の図３（ｂ）と同様に、機器架台４１の短手方向が天井小梁２５に沿って延びている。この場合でも、図１０（ａ）と同様に、架台板４２の長辺に沿って並ぶ２つの脚部４３のうち一方が建物ユニット２０Ａの天井小梁２５の上に設置され、他方が建物ユニット２０Ｂの天井小梁２５の上に設置されている。一方で、建物ユニット２０Ａ，２０Ｂのそれぞれにおいて、架台板４２の短辺に沿って並ぶ２つの脚部４３は、同一の天井小梁２５の上に設置されている。
【０１３１】
機器架台４１は、３つの建物ユニット２０に掛け渡された状態で設置されていてもよい。例えば、図１０（ｂ）に示すように、横並びに配置された建物ユニット２０Ａ，２０Ｂ，２０Ｃが、互いの境界部側にそれぞれの長辺部が配置される向きで設置されており、建物ユニット２０Ａ，２０Ｂの境界部、及び建物ユニット２０Ｂ，２０Ｃの境界部の両方を跨いだ状態で機器架台４１が設置された構成とする。
【０１３２】
この構成では、機器架台４１の長手方向が天井小梁２５に沿って延びており、架台板４２の長辺に沿って並ぶ２つの脚部４３のうち一方が建物ユニット２０Ａの天井小梁２５の上に設置され、他方が建物ユニット２０Ｃの天井小梁２５の上に設置されている。この場合、建物ユニット２０Ａ，２０Ｃの間に配置された建物ユニット２０Ｂの天井小梁２５に対しては、脚部４３が設置されていない。ちなみに、この構成では、建物ユニット２０Ｂ，２０Ｃが、その短手方向の長さ寸法が建物ユニット２０Ａのほぼ半分とされたハーフユニットになっている。
【０１３３】
図１０（ａ），（ｂ）、図１１（ａ）では、隣り合う建物ユニット２０の各天井大梁２２が集合した梁集合部を、機器架台４１が跨いだ状態になっていたが、機器架台４１は、横並びに配置された建物ユニット２０の各柱２１が集合した柱集合部を跨いだ状態になっていてもよい。例えば、図１１（ｂ）に示すように、建物ユニット２０Ａ，２０Ｂ，２０Ｃ，２０Ｄの各柱２１が集合した柱集合部を跨いだ状態で機器架台４１が設置された構成とする。この構成では、機器架台４１の短手方向が天井小梁２５に沿って延びており、４つの脚部４３の全てがそれぞれ異なる建物ユニット２０Ａ〜２０Ｄの各天井小梁２５の上に設置されている。
【０１３４】
（１２）規制部８６は、接合プレート８５を介さずに脚本体７１に直接取り付けられていてもよい。例えば、規制部８６が脚本体７１の下端面に取り付けられている構成とする。この構成では、脚本体７１が天井小梁２５よりも大きい幅寸法を有し、脚本体７１の下端面における天井小梁２５から側方にはみ出している部分に規制部８６が取り付けられていることが好ましい。また、規制部８６が脚本体７１の側面に対して取り付けられていてもよい。
【０１３５】
さらに、脚部４３は規制部８６を有していなくてもよい。この場合でも、脚部４３を天井小梁２５と垂木５１との間に突っ張った状態で設けることで、脚部４３の位置が天井小梁２５の長手方向や幅方向にずれることを抑制できる。
【０１３６】
（１３）上記実施形態では、１つの脚部４３が２つの第３規制部８６ｃ，８６ｄを有していたが、第３規制部は１つだけ設けられていてもよい。この場合でも、第１規制部８６ａと第２規制部８６ｂとの間に天井小梁２５が入り込んだ状態で、その天井小梁２５に対して第１規制部８６ａ及び第２規制部８６ｂのうち一方と同じ側に第３規制部が配置されるため、１つの第１規制部８６ａや１つの第２規制部８６ｂを支点として機器架台４１が回転するようにして天井小梁２５の幅方向にずれるということを阻止できる。
【０１３７】
（１４）第３規制部８６ｃ，８６ｄは設けられていなくてもよい。この場合でも、１つの天井小梁２５に沿って複数の脚部４３が並んでいれば、複数の第１規制部８６ａや複数の第２規制部８６ｂが所定間隔（脚部４３の離間距離）で並んでいることになり、１つの第１規制部８６ａや第２規制部８６ｂを支点として機器架台４１が回転するようにして天井小梁２５の幅方向にずれるということを阻止できる。
【０１３８】
（１５）上記実施形態では、１つの脚部４３が第１規制部８６ａ及び第２規制部８６ｂの両方を有していたが、それら規制部８６ａ，８６ｂのうち一方だけを１つの脚部４３が有していてもよい。この場合でも、１つの天井小梁２５に沿って並ぶ複数の脚部４３のうち、第１規制部８６ａ及び第２規制部８６ｂをそれぞれ異なる脚部４３が有していることで、脚部４３が天井小梁２５の幅方向のうち一方に向けてずれることが第１規制部８６ａにより規制され、他方に向けてずれることが第２規制部８６ｂにより規制される。
【０１３９】
また、規制部８６ａ，８６ｂのうち第１規制部８６ａだけを有する脚部４３と、第２規制部８６ｂだけを有する脚部４３とが、それぞれ異なる天井小梁２５の上に設置されている場合でも、機器架台４１の位置が天井小梁２５の幅方向のうち一方に向けてずれることが第１規制部８６ａにより規制され、他方に向けてずれることが第２規制部８６ｂにより規制される。
【０１４０】
（１６）上記実施形態では、機器架台４１において全ての脚部４３が規制部８６を有していたが、少なくとも１つの脚部４３が規制部８６を有していればよい。この場合でも、機器架台４１の位置が天井小梁２５の幅方向にずれることを規制できる。
【０１４１】
（１７）上記実施形態では、１つの脚部４３が第１規制部８６ａ及び第２規制部８６ｂを１つずつ有していたが、１つの脚部４３は、第１規制部８６ａや第２規制部８６ｂを複数有していてもよい。
【０１４２】
例えば、図１２（ａ），（ｂ）に示すように、１つの脚部４３が第２規制部８６ｂを２つ有している構成とする。この構成では、２つの第２規制部８６ｂのうち一方は、他方とは第１規制部８６ａを挟んで反対側に配置されている。この場合、第１規制部８６ａを挟んで両側に収納スペースが形成されていることになり、天井小梁２５の位置に合わせていずれの収納スペースにその天井小梁２５を入り込ませるのかを選択することが可能となる。これにより、隣り合う天井小梁２５の離間距離が異なる複数組の天井小梁２５に対して、機器架台４１を掛け渡した状態で設置することが可能となる。なお、図１２（ｂ）は、図１２（ａ）のＡ−Ａ線断面図である。
【０１４３】
（１８）上記実施形態では、規制部８６がアングル材により形成されていたが、規制部８６は、角材により形成されていてもよい。この場合でも、規制部８６においては、隣り合う板面が互いに直交している部分により出隅部分が形成されている。このため、規制部８６の各板面が天井小梁２５の側面に重なることで、天井小梁２５に対する規制部８６の引っ掛かり面積が大きくなる。
【０１４４】
また、規制部８６においては、隣り合う板面が互いに直交していなくてもよい。例えば、図１２（ａ）に示すように、規制部８６が円柱状のピン部材により形成されていてもよい。この場合でも、規制部８６が脚本体７１から下方に向けて延びている構成を実現できる。
【０１４５】
（１９）接合プレート８５は、上下方向に延びる回転軸を中心にして回転可能とされていてもよい。この場合、接合プレート８５に第１規制部８６ａと第２規制部８６ｂとが所定間隔で設けられていれば、それら第１規制部８６ａと第２規制部８６ｂとが架台板４２の長辺又は短辺に沿って並んでいる構成であっても、天井小梁２５の向きに合わせて接合プレート８５を回転させることで、機器架台４１の設置向きに関係なく第１規制部８６ａと第２規制部８６ｂとの間に天井小梁２５を入り込ませることが可能となる。
【０１４６】
（２０）機器架台４１により支持される設備機器は、空調機器３１でなくてもよい。設備機器としては、例えば、給湯機器やコージェネ機器などが挙げられる。
【符号の説明】
【０１４７】
１０…建物、１３…屋根、１６…傾斜屋根部、１７…束、２０…建物ユニット、２１…柱、２２…天井大梁、２５…梁材としての天井小梁、３１…設備機器としての空調機器、４１…機器架台、４２…架台板、４３…脚部、５１…屋根構造体を構成する垂木、６１…第２機器としての給気部、７１…脚本体、７２…上側接合部、７５…挿通孔、７６…変更手段としての嵌合部材、８１…上板部、８２…下板部、８３…連結部、８６…規制部。
【図１】
2014163060.tif 000003
【図２】
2014163060.tif 000004
【図３】
2014163060.tif 000005
【図４】
2014163060.tif 000006
【図５】
2014163060.tif 000007
【図６】
2014163060.tif 000008
【図７】
2014163060.tif 000009
【図８】
2014163060.tif 000010
【図９】
2014163060.tif 000011
【図１０】
2014163060.tif 000012
【図１１】
2014163060.tif 000013
【図１２】
2014163060.tif 000014